(57)【要約】【課題】小型化に寄与しつつ操作性を向上させる。【解決手段】ホルダカバーが縮退した状態で、スライド操作キー１６ａが押下されると、制御部は、モータ駆動部を制御して、モータを例えば正転させる。これによって、モータギアが回転して回転ギアがモータギアと噛合して回転し、回転ギアがラックギアと噛合して、ラックギアを下方に押し下げるように作用し、ホルダカバーに対して、ラックギアが形成された下側筐体１１と、上側筐体６とが上方へ移動する。スライド操作キー１６ａがもう一度押下されると、制御部は、モータ駆動部を制御して、モータを例えば逆転させる。これによって、モータギアが回転して回転ギアがモータギアと噛合して回転し、回転ギアがラックギアと噛合して、ラックギアを上方に押し上げるように作用し、ホルダカバーに対して、ラックギアが形成された下側筐体１１と、上側筐体６とが上方へ移動する。【選択図】  図１
2004320665.tif 000002
【特許請求の範囲】
【請求項１】
携帯型電子機器の筐体本体を保持体によってスライド可能に保持するためのスライド機構であって、
所定のスライド方向に沿って前記保持体に対して前記筐体本体をスライドさせるための案内手段と、所定の位置関係で、前記保持体に対して前記筐体本体を仮固定するための仮固定手段とを備えたことを特徴とする携帯型電子機器のスライド機構。
【請求項２】
モータを有してなる駆動手段と、前記駆動手段を操作するためのモータ操作手段と、前記筐体本体と前記保持体とのうちの一方に設けられ、前記モータによって回転する回転ギアと、前記筐体本体と前記保持体とのうちの他方にスライド方向に沿って帯状に設けられ、前記回転ギアと噛合するラックギアとを有してなる動力伝達手段とを備え、
前記仮固定手段は、前記モータが停止状態とされることによって、少なくとも所定以下の力がスライド方向に沿って働いた場合に、この力に抗して、所定の位置関係で、前記保持体に対して前記筐体を仮固定することを特徴とする請求項１記載の携帯型電子機器のスライド機構。
【請求項３】
前記仮固定手段は、前記モータが停止状態とされたときに、前記動力伝達手段の一部を制止させる制止手段を有していることを特徴とする請求項２記載の携帯型電子機器のスライド機構。
【請求項４】
前記モータ操作手段を操作した際のスライド量を予め設定するための設定手段を備えたことを特徴とする請求項２又は３記載の携帯型電子機器のスライド機構。
【請求項５】
前記仮固定手段は、前記筐体本体と前記保持体とのうちの一方にスライド方向に沿って帯状に設けられたラックギアと、前記筐体本体と前記保持体とのうちの他方に設けられ、前記ラックギアを構成する歯を係止する係止爪とを有してなり、前記ラックギアの歯が前記係止爪によって係止されることによって、少なくとも所定以下の力がスライド方向に沿って働いた場合に、この力に抗して、所定の位置関係で、前記保持体に対して前記筐体を仮固定することを特徴とする請求項１記載の携帯型電子機器のスライド機構。
【請求項６】
前記筐体本体は、裏面側に前記保持体が取り付けられた第１の筐体と、第２の筐体とが、ヒンジ部を介して折畳可能に構成されていることを特徴とする請求項１乃至５のいずれか１に記載の携帯型電子機器のスライド機構。
【請求項７】
前記筐体本体には、前記携帯型電子機器を構成する機器操作手段が設けられ、前記保持体は、操作者によって把持されることを特徴とする請求項１乃至６のいずれか１に記載の携帯型電子機器のスライド機構。
【請求項８】
前記携帯型電子機器は少なくとも通話機能を有し、前記筐体本体と前記保持体とのうちの一方には、受話部が設けられ、前記筐体本体と前記保持体とのうちの他方には、送話部が設けられていることを特徴とする請求項１乃至７のいずれか１に記載の携帯型電子機器のスライド機構。
【請求項９】
前記携帯型電子機器は内蔵カメラを有し、前記筐体本体のカメラ収納部位に対応する箇所には撮影用開口が形成され、前記撮影用開口は、前記筐体本体が前記保持体に対して変位することによって、露出され又は前記保持体によって覆われる構成になされていることを特徴とする請求項１乃至８のいずれか１に記載の携帯型電子機器のスライド機構。
【請求項１０】
請求項１乃至９のいずれか１に記載の携帯型電子機器のスライド機構を備えたことを特徴とする携帯型電子機器。
【発明の詳細な説明】
【０００１】
【発明の属する技術分野】
この発明は、例えば携帯電話機等の筐体において用いられる携帯型電子機器のスライド機構及び該機構を備えた携帯型電子機器に関する。
【０００２】
【従来の技術】
従来より、携帯型電子機器としての携帯電話機１０１は、図２３に示すように、操作面１０２に多数のキーボタン１０２ａ，１０２ａ，…が配置され、操作を行う際には、例えば、この携帯電話機１０１を一方の手の掌に載せて、親指でキーボタン１０２ａを押下することが多い。
ここで、例えばテンキーの下部の数字、「９」キー、「０」キー、「＃」キー等を押下する場合は、携帯電話機１０１を持ち直したり、親指を無理に曲げたりする必要があって入力し難く、操作性が悪いという問題があった。
このため、キーボタンが配列された操作部の上端をクランク部に取り付けて、操作面の角度を変えながらスライド可能とする技術（例えば、特許文献１参照。）や、筐体の下部を操作面が露出されるようにカバーで覆って、カバーを手に持った状態で、携帯電話機本体を上下に移動可能とした技術（例えば、特許文献２参照。）が提案されている。
【０００３】
【特許文献１】
特開２００２−１５２３５５号公報
【特許文献２】
特開２００２−３２０００８号公報
【０００４】
【発明が解決しようとする課題】
しかしながら、上記従来技術では、所望量スライドさせても、キーボタンを押下したときに、容易に滑ってずれてしまい、円滑かつ確実に操作ができないという問題があった。
また、マイクロフォンとスピーカとの距離が固定されているので、操作者の個人差に対応できず、マイクロフォンの集音性が悪化して、円滑に通話ができないという問題があった。
【０００５】
この発明は、上述の事情に鑑みてなされたもので、小型化に寄与しつつ操作性を向上させることができる携帯型電子機器のスライド機構及び該機構を備えた携帯型電子機器を提供することを第１の目的としている。
また、マイクロフォンの集音性を向上させて、円滑に通話を行うことができる携帯型電子機器のスライド機構及び該機構を備えた携帯型電子機器を提供することを第２の目的としている。
【０００６】
【課題を解決するための手段】
上記課題を解決するために、請求項１記載の発明は、携帯型電子機器の筐体本体を保持体によってスライド可能に保持するための携帯型電子機器のスライド機構に係り、所定のスライド方向に沿って上記保持体に対して上記筐体本体をスライドさせるための案内手段と、所定の位置関係で、上記保持体に対して上記筐体本体を仮固定するための仮固定手段とを備えたことを特徴としている。
【０００７】
また、請求項２記載の発明は、請求項１記載の携帯型電子機器のスライド機構に係り、モータを有してなる駆動手段と、上記駆動手段を操作するためのモータ操作手段と、上記筐体本体と上記保持体とのうちの一方に設けられ、上記モータによって回転する回転ギアと、上記筐体本体と上記保持体とのうちの他方にスライド方向に沿って帯状に設けられ、上記回転ギアと噛合するラックギアとを有してなる動力伝達手段とを備え、上記仮固定手段は、上記モータが停止状態とされることによって、少なくとも所定以下の力がスライド方向に沿って働いた場合に、この力に抗して、所定の位置関係で、上記保持体に対して上記筐体を仮固定することを特徴としている。
【０００８】
また、請求項３記載の発明は、請求項２記載の携帯型電子機器のスライド機構に係り、上記仮固定手段は、上記モータが停止状態とされたときに、上記動力伝達手段の一部を制止させる制止手段を有していることを特徴としている。
【０００９】
また、請求項４記載の発明は、請求項２又は３記載の携帯型電子機器のスライド機構に係り、上記モータ操作手段を操作した際のスライド量を予め設定するための設定手段を備えたことを特徴としている。
【００１０】
また、請求項５記載の発明は、請求項１記載の携帯型電子機器のスライド機構に係り、上記仮固定手段は、上記筐体本体と上記保持体とのうちの一方にスライド方向に沿って帯状に設けられたラックギアと、上記筐体本体と上記保持体とのうちの他方に設けられ、上記ラックギアを構成する歯を係止する係止爪とを有してなり、上記ラックギアの歯が上記係止爪によって係止されることによって、少なくとも所定以下の力がスライド方向に沿って働いた場合に、この力に抗して、所定の位置関係で、上記保持体に対して上記筐体を仮固定することを特徴としている。
【００１１】
また、請求項６記載の発明は、請求項１乃至５のいずれか１に記載の携帯型電子機器のスライド機構に係り、上記筐体本体は、裏面側に上記保持体が取り付けられた第１の筐体と、第２の筐体とが、ヒンジ部を介して折畳可能に構成されていることを特徴としている。
【００１２】
また、請求項７記載の発明は、請求項１乃至６のいずれか１に記載の携帯型電子機器のスライド機構に係り、上記筐体本体には、上記携帯型電子機器を構成する機器操作手段が設けられ、上記保持体は、操作者によって把持されることを特徴としている。
【００１３】
また、請求項８記載の発明は、請求項１乃至７のいずれか１に記載の携帯型電子機器のスライド機構に係り、上記携帯型電子機器は少なくとも通話機能を有し、上記筐体本体と上記保持体とのうちの一方には、受話部が設けられ、上記筐体本体と上記保持体とのうちの他方には、送話部が設けられていることを特徴としている。
【００１４】
また、請求項９記載の発明は、請求項１乃至８のいずれか１に記載の携帯型電子機器のスライド機構に係り、上記携帯型電子機器は内蔵カメラを有し、上記筐体本体のカメラ収納部位に対応する箇所には撮影用開口が形成され、上記撮影用開口は、上記筐体本体が上記保持体に対して変位することによって、露出され又は上記保持体によって覆われる構成になされていることを特徴としている。
【００１５】
また、請求項１０記載の発明に係る携帯型電子機器は、請求項１乃至９のいずれか１に記載の携帯型電子機器のスライド機構を備えたことを特徴としている。
【００１６】
【発明の実施の形態】
以下、図面を参照して、この発明の実施の形態について説明する。説明は、実施例を用いて具体的に行う。
◇第１実施例
図１は、この発明の第１実施例である携帯電話機の構成を示す正面図、図２は、同携帯電話機の構成を分解して示す分解斜視図、図３は、同携帯電話機の下側筐体を背面側から見た斜視図、図４は、同携帯電話機の構成を示す図であって、同図（ａ）は、同携帯電話機のホルダカバーが同下側筐体に装着されている状態を示す正面図、同図（ｂ）は、同図（ａ）のＡ−Ａ線に沿った断面図、図５は、同携帯電話機の構成を示すブロック図、また、図６は、同携帯電話機の動作を説明するための説明図であって、同図（ａ）は、同ホルダカバーが同下側筐体に装着されている状態を示す正面図、同図（ｂ）は、同図（ａ）のＢ−Ｂ線に沿った断面図である。
【００１７】
この例の携帯電話機（携帯型電子機器）１は、図１乃至図４に示すように、上側ユニット２と下側ユニット３とが折り畳み可能なヒンジ部４で相互に結合されて構成されている。
上側ユニット２は、図１乃至図５に示すように、折畳可能な扁平な筐体５を構成する上側筐体（筐体本体の一部、第２の筐体）６と、それぞれ、上側筐体６に実装され、液晶表示装置等からなり例えば待受画面や機能設定画面等が表示される表示部７と、無線電波の送受信を行うアンテナ８と、受話音声を出力するスピーカ（受話部）９とを有してなっている。
【００１８】
また、下側ユニット３は、筐体５を構成する下側筐体（筐体本体の一部、第１の筐体）１１と、下側筐体１１の裏面側にスライド機構１２によってスライド可能に取り付けられたホルダカバー（保持体）１３と、下側筐体１１にそれぞれ実装され、当該携帯電話機本体の構成各部を制御する制御部１４と、制御部１４が実行する処理プログラムや各種データ等を記憶するための記憶部１５と、折畳時に内側となる側に配設され、数字や文字の入力操作等を行うための多数のキーボタン等を有する操作部（機器操作手段）１６と、アンテナ８を介して無線電波を送受信し所定のプロトコルに従って通話やデータ通信を行うために用いられる無線通信部１７と、送話音声を入力するマイクロフォン（送話部）１８とを有してなっている。
【００１９】
筐体５は、図１乃至図４に示すように、ヒンジ部４で相互に結合された上側筐体６及び下側筐体１１と、ホルダカバー１３とを有してなり、ヒンジ部４は、上側筐体６と下側筐体１１とを回動自在に結合して当該携帯電話機１に折畳可能な構造を付与している。
下側筐体１１の両側の側面部には、図２に示すように、ホルダカバー１３を案内してスライドさせるための案内溝（案内手段の一部）２１，２１が形成されている。この案内溝２１は、溝の幅が比較的大きい上部溝２１ａと、上部溝２１ａからスライド方向に沿って延設され溝の幅が比較的小さい下部溝２１ｂとからなり、中央部に段差部２１ｃが形成されている。
ホルダカバー１３は、下側筐体１１の裏面及び側面（上部を除く）を覆う浅底の箱状部材からなり、ホルダカバー１３の下側筐体１１の裏面に対向する側の面の中央部には、ラックギア２２が帯状に形成されている。
【００２０】
ホルダカバー１３の側面部には、案内溝２１に嵌め込まれた状態でスライドする案内突起（案内手段の一部）２３が形成され、案内突起２３の先端部には、段差部２１ｃに係止されて下方への抜け防止がなされる抜止用突起２３ａが形成されている。
スライド機構１２は、下側筐体１１に設けられたモータ（駆動手段の一部）２４と、モータ２４によって回転するモータギア（動力伝達手段の一部、仮固定手段の一部）２５と、下側筐体１１に回転自在に取り付けられ、モータギア２５と噛合して回転する回転ギア（動力伝達手段の一部、仮固定手段の一部）２６と、ホルダカバー１３の下側筐体１１の裏面に対向する側に形成され、回転ギア２６と噛合する上記ラックギア（動力伝達手段の一部、仮固定手段の一部）２２と、案内溝２１の上端部に配置された上端停止スイッチ２７と、段差部２１ｃ近傍に配置された下端停止スイッチ２８とを有してなっている。
ここで、モータ２４が停止している場合は、例えば、モータギア２５や回転ギア２６を回転させるために所定以上の力を要するために、所定以下の力（例えばキーボタンの押下時にスライド方向に沿って加わる力）で、下側筐体１１をホルダカバー１３に対してスライド方向に沿って変位させようとしても、その変位が阻止され、固定される。
【００２１】
制御部１４は、ＣＰＵ（中央処理装置）等からなり、例えば、所定の電話番号に対する発呼処理等を行うための通信制御プログラムや、操作部１６の各種キーボタンからの入力情報を処理する操作制御プログラム、モータ駆動部２９を制御してモータ２４を駆動させるためのモータ駆動制御プログラム、表示部７を制御するための表示制御プログラム等の記憶部１５に記憶された各種処理プログラムを実行し、記憶部１５に確保された各種レジスタやフラグを用いて、構成各部を制御し、通信制御処理や、操作制御処理、モータ駆動制御処理、表示制御処理等を行う。
記憶部１５には、ＲＯＭ、ＲＡＭ等の半導体メモリからなり、制御部１４が実行する通信制御処理プログラムや、操作制御プログラム、モータ駆動制御プログラム、表示制御プログラム等の各種処理プログラムや、各機能の設定情報や通信履歴情報、電話帳情報等の各種情報が記憶されていると共に、制御部１４がプログラム実行時に用いる各種レジスタやフラグが確保されている。
【００２２】
操作部１６は、図１及び図２に示すように、ホルダカバー１３に対して下側筐体１１を変位させるためのスライド操作キー１６ａと、ブラウザを起動させてホームページを閲覧するためのブラウザモード選択キー１６ｂ、操作を決定するために用いられる決定キー１６ｃ、操作メニューを表示させるためのメニューキー１６ｄ、文字入力モードを切り換えるための入力モード切替えキー１６ｅ、電話帳を登録したり検索するための電話帳キー１６ｆ、音声通話を行うために用いる通話開始キー１６ｇ、操作を１つ前の状態へ戻すクリアキー１６ｈ、及び電源の入切りを行った各種操作を中止するために用いられる電源キー１６ｉを含む機能キー群１６ｊと、表示部７に表示された表示画面状のカーソルを上下左右方向へ移動させるためのカーソルキー１６ｋと、例えば数字等を入力するためのテンキー群１６ｍとを有している。
【００２３】
スライド操作キー１６ａは、図４に示すように、ホルダカバー１３が下側筐体１１の裏面及び側面全体を覆って下側筐体１１の裏面側に納められた縮退状態（上端停止スイッチ２７が抜止用突起２３ａによって押下されてオンとされた状態）とされている場合に、一度押下されることによって、ホルダカバー１３に対して上側筐体６及び下側筐体１１が上方に移動し、図６に示すように、ホルダカバー１３が下側筐体１１に対して、伸びきった伸張状態（下端停止スイッチ２８が抜止用突起２３ａによって押下されてオンとされた状態）とされている場合に、一度押下されることによって、ホルダカバー１３に対して上側筐体６及び下側筐体１１が下方に移動するようになされている。
ここで、スライド操作キー１６ａは、押下が継続されると、抜止用突起２３ａが上端停止スイッチ２７又は下端停止スイッチ２８をオン状態とする度に、ホルダカバー１３に対する上側筐体６及び下側筐体１１の移動方向が逆転することとなる。
【００２４】
次に、図４及び図６を参照してこの例の携帯電話機１の動作について説明する。
テンキーを操作する場合は、ホルダカバー１３を一方の掌の親指以外の４本の指で支えた状態で、スライド操作キー１６ａを押下し、操作対象のキーを親指付近に移動させる。
例えば、図４（ａ）及び同図（ｂ）に示すように、ホルダカバー１３が上記縮退状態とされ、上端停止スイッチ２７がオンとされている場合に、操作者によって、スライド操作キー１６ａが押下されると、制御部１４は、モータ駆動部２９を制御して、モータ２４を回転（例えば正転）させる。
これによって、モータギア２５が回転して回転ギア２６がモータギア２５と噛合して回転し、回転ギア２６がラックギア２２と噛合して、ラックギア２２を下方（ヒンジ部４と反対側）に押し下げるように作用し、図６（ａ）及び同図（ｂ）に示すように、ホルダカバー１３に対して、ラックギア２２が形成された下側筐体１１と、上側筐体６とが上方へ移動して、ホルダカバー１３は上記伸張状態とされる。
【００２５】
そして、抜止用突起２３ａが段差部２１ｃに当って停止すると同時に、下端停止スイッチ２８が抜止用突起２３ａによって押されてオンとなり、制御部１４は、モータ駆動部２９を制御して、モータ２４を停止させる。これによって、例えば親指の位置に所望のキーが移動する。
ここで、モータ２４が停止している場合は、例えば、モータギア２５や回転ギア２６を回転させるために所定以上の力を要するために、所定以下の力（例えばキーボタンの押下時にスライド方向に沿って加わる力）で、下側筐体１１をホルダカバー１３に対してスライド方向に沿って変位させようとしても、その変位が阻止され、固定される。これにより、キー操作によって下側筐体１１が動いてキー位置が容易にずれることがない。
【００２６】
また、図６に示すように、ホルダカバー１３が上記伸張状態とされ、下端停止スイッチ２８が抜止用突起２３ａによって押下されてオンとされたている場合に、操作者によって、スライド操作キー１６ａが押下されると、制御部１４は、モータ駆動部２９を制御して、モータ２４を回転（例えば逆転）させる。
これによって、モータギア２５が回転して回転ギア２６がモータギア２５と噛合して回転し、回転ギア２６がラックギア２２と噛合して、ラックギア２２を上方（ヒンジ部４側）に押し上げるように作用し、ホルダカバー１３に対して、ラックギア２２が形成された下側筐体１１と、上側筐体６とが上方へ移動して、ホルダカバー１３は上記縮退状態とされる。
そして、ホルダカバー１３の下部側壁の内面が、下側筐体１１の下部側面に当って停止すると同時に、上端停止スイッチ２７は抜止用突起２３ａによって押されてオンとなり、制御部１４は、モータ駆動部２９を制御して、モータ２４を停止させる。
なお、例えば、機能キー群１６ｊのキーやカーソルキー１６ｋを操作する場合は、従来と同様にスライド操作キー１６ａを操作せずに、図４に示すように、下側筐体１１をホルダカバー１３内に納めた状態で所望のキーを操作する。
【００２７】
この例の構成によれば、スライド操作キー１６ａを操作して、ホルダカバー１３に対して、ラックギア２２が形成された下側筐体１１を上方又は下方へ変位させることができるので、例えばテンキーを操作する場合に、ホルダカバー１３を一方の親指以外の４本の指で支えた状態で、操作対象のキーを親指付近に移動させることができる。
したがって、操作時に携帯電話機を持ち直したり、親指を無理に曲げたりする必要がないため、楽にキーボタンを押下することができるので、小型化に寄与しつつ、操作性を向上させることができる。
また、スライド操作キー１６ａを一度押下するのみで、簡単かつ迅速に、操作対象のキーを親指付近に移動させることができる。
また、操作者の掌の大きさや指の長さに応じてキーボタンの位置を調整することができるので、小型化に寄与しつつ、操作者の個人差に対応させ、操作性を向上させることができる。
【００２８】
また、モータ２４が停止している場合は、例えば、モータギア２５や回転ギア２６を回転させるために所定以上の力を要するために、所定以下の力（例えばキーボタンの押下時にスライド方向に沿って加わる力）で、下側筐体１１がホルダカバー１３に対してスライド方向に沿って変位させようとしても、その変位が阻止され、固定されるので、所望量スライドさせても、キーボタンを押下したときに、容易に滑ってずれる虞がなく、円滑かつ確実に操作を行うことができ、一段と操作性を一段と向上させることができる。
【００２９】
◇第２実施例
図７は、この発明の第２実施例である携帯電話機の構成を分解して示す分解斜視図、図８は、同携帯電話機の下側筐体を背面側から見た斜視図、図９は、同携帯電話機のホルダカバーを背面側から見た斜視図、図１０は、同携帯電話機の構成を示す図であって、同図（ａ）は、同ホルダカバーが同下側筐体に装着されている状態を示す正面図、同図（ｂ）は、同ホルダカバーが同下側筐体に装着されている状態を示す側面図，図１１は、図１０（ａ）のＣ−Ｃ線に沿った断面図、図１２は、同携帯電話機の動作を説明するための説明図であって、同図（ａ）は、同ホルダカバーが同下側筐体に装着されている状態を示す正面図、同図（ｂ）は、同ホルダカバーが同下側筐体に装着されている状態を示す側面図、また、図１３は、図１２（ａ）のＤ−Ｄ線に沿った断面図である。
この例が上述した第１実施例と大きく異なるところは、モータをホルダカバー側に設けると共に、スライド操作キーを上下動用に分けてホルダカバーの側壁部外面に配置し、かつ、上端停止スイッチ及び下端停止スイッチを廃した点である。
これ以外の構成は、上述した第１実施例の構成と略同一であるので、その説明を簡略にする。
【００３０】
この例の携帯電話機１Ａは、図７乃至図１２に示すように、上側ユニット２と下側ユニット３Ａとが折り畳み可能なヒンジ部４で相互に結合されて構成されている。
上側ユニット２は、筐体５Ａを構成する上側筐体６と、表示部７と、アンテナ８と、スピーカ９とを有してなっている。
また、下側ユニット３Ａは、筐体５Ａを構成する下側筐体１１Ａと、下側筐体１１Ａの裏面側にスライド機構１２Ａによってスライド可能に取り付けられたホルダカバー１３Ａと、下側筐体１１Ａにそれぞれ実装された制御部１４と、記憶部１５と、操作部１６Ａと、無線通信部１７と、マイクロフォン１８とを有してなっている。
下側筐体１１Ａの裏面の中央部には、図８に示すように、ラックギア３１が帯状に形成されている。この案内溝２１は、上部溝２１ａと、下部溝２１ｂとからなり、中央部に段差部２１ｃが形成されている。また、下側筐体１１Ａの両側の側面部には、図７に示すように、案内溝２１，２１が形成されている。
【００３１】
ホルダカバー１３Ａは、図７に示すように、下側筐体１１Ａの裏面及び側面（上部を除く）を覆う浅底の箱状部材からなり、ホルダカバー１３Ａの下側筐体１１の裏面に対向する側の面の中央部には、ラックギア３１に噛合する回転ギア３２が回転可能な状態で配置されている。
また、ホルダカバー１３Ａの側面部の端縁には、案内突起２３，２３が形成され、各案内突起２３の先端部には、抜止用突起２３ａが形成されている。また、ホルダカバー１３Ａの側面部には、スライド操作キー３５ａ，３５ｂが配設されている。
【００３２】
スライド機構１２Ａは、ホルダカバー１３Ａに設けられたモータ３３と、モータ３３によって回転するモータギア３４と、モータギア３４と噛合して回転する回転ギア３２と、下側筐体１１Ａの裏面の中央部に形成され、回転ギア３２と噛合するたラックギア３１とを有してなっている。
この例でも、モータ３３が停止している場合は、例えば、モータギア３４や回転ギア３２を回転させるために所定以上の力を要するために、所定以下の力（例えばキーボタンの押下時にスライド方向に沿って加わる力）で、下側筐体１１Ａがホルダカバー１３Ａに対してスライド方向に沿って変位させようとしても、その変位が阻止され、固定される。
なお、この例では、モータ駆動部２９は、下側筐体１１Ａ内に設けられ、モータ３３とは、ＦＰＣ３６を介して電気的に接続されている。
【００３３】
操作部１６Ａは、図７及び図９に示すように、ホルダカバー１３Ａに対して下側筐体１１Ａを変位させるためのスライド操作キー３５ａ，３５ｂと、ブラウザモード選択キー１６ｂ、決定キー１６ｃ、メニューキー１６ｄ、入力モード切替えキー１６ｅ、電話帳キー１６ｆ、通話開始キー１６ｇ、クリアキー１６ｈ、電源キー１６ｉを含む機能キー群１６ｊと、カーソルキー１６ｋと、テンキー群１６ｍとを有している。
この例では、スライド操作キー３５ａが押下されることによって、ホルダカバー１３Ａに対して上側筐体６及び下側筐体１１Ａが上方に移動し、押下が解除されることによって停止し、また、スライド操作キー３５ｂが押下されることによって、ホルダカバー１３Ａに対して上側筐体６及び下側筐体１１Ａが下方に移動し、押下が解除されることによって停止するようになされている。
【００３４】
次に、図１０乃至図１３を参照してこの例の携帯電話機１Ａの動作について説明する。
テンキーを操作する場合は、ホルダカバー１３Ａを一方の親指以外の４本の指で支えた状態で、スライド操作キー３５ａ，３５ｂを押下し、操作対象のキーを親指付近に移動させる。
【００３５】
例えば、操作者によって、スライド操作キー３５ａが押下されると、制御部１４は、モータ駆動部２９を制御して、モータ３３を回転（例えば正転）させる。
これによって、モータギア３４が回転して回転ギア３２がモータギア３４と噛合して回転し、回転ギア３２がラックギア３１と噛合して、ラックギア３１を下方（ヒンジ部４と反対側）に押し下げるように作用し、ホルダカバー１３Ａに対して、ラックギア３１が形成された下側筐体１１Ａと、上側筐体６とが上方へ移動する。
操作者によって、スライド操作キー３５ｂの押下が解除されると、制御部１４は、モータ駆動部２９を制御して、モータ３３を停止させる。
【００３６】
また、スライド操作キー３５ａが押下され続けると、抜止用突起２３ａが段差部２１ｃに当って停止する。
また、操作者によって、スライド操作キー３５ｂが押下されると、制御部１４は、モータ駆動部２９を制御して、モータ３３を回転（例えば逆転）させる。
これによって、モータギア３４が回転して回転ギア３２がモータギア３４と噛合して回転し、回転ギア３２がラックギア３１と噛合して、ラックギア３１を上方（ヒンジ部４側）に押し上げるように作用し、ホルダカバー１３Ａに対して、ラックギア３１が形成された下側筐体１１Ａと、上側筐体６とが下方へ移動する。
【００３７】
操作者によって、スライド操作キー３５ｂの押下が解除されると、制御部１４は、モータ駆動部２９を制御して、モータ３３を停止させる。
また、スライド操作キー３５ｂが押下され続けると、ホルダカバー１３の下部側壁の内面が、下側筐体１１の下部側面に当って停止する。
このように、スライド操作キー３５ａ，３５ｂの操作によって、ホルダカバー１３に対する下側筐体１１Ａ及び上側筐体６の精密な移動がなされ、例えば親指の位置に所望のキーが移動する。
この例でも、モータ３３が停止している場合は、例えば、モータギア３４や回転ギア３２を回転させるために所定以上の力を要するために、所定以下の力（例えばキーボタンの押下時にスライド方向に沿って加わる力）で、下側筐体１１Ａをホルダカバー１３Ａに対してスライド方向に沿って変位させようとしても、その変位が阻止され、固定される。これにより、キー操作によって下側筐体１１Ａが動いてキー位置が容易にずれることがない。
なお、例えば、機能キーやカーソルキーを操作する場合は、従来と同様にスライド操作キー３５ａ，３５ｂを操作せずに、下側筐体１１Ａをホルダカバー１３Ａ内に納めた状態で所望のキーを操作する。
【００３８】
この例の構成によれば、上述した第１実施例と略同様の効果を得ることができる。
加えて、上下移動用のスライド操作キー３５ａ，３５ｂの操作によって、ホルダカバー１３に対して下側筐体１１Ａ及び上側筐体６を精密に移動させ、微調整も可能であるので、一段と円滑かつ確実にスライド操作を行うことができ、例えば親指の位置に所望のキーを正確に移動させることができる。
【００３９】
◇第３実施例
図１４は、この発明の第３実施例である携帯電話機の構成を分解して示す分解斜視図、また、図１５は、同携帯電話機の下側筐体を背面側から見た斜視図である。
この例が上述した第１実施例と大きく異なるところは、モータを廃して手動でスライド可能なように構成した点である。
これ以外の構成は、上述した第１実施例の構成と略同一であるので、その説明を簡略にする。
【００４０】
この例の携帯電話機１Ｂは、図１４に示すように、上側ユニット２と下側ユニット３Ｂとが折り畳み可能なヒンジ部４で相互に結合されて構成されている。
上側ユニット２は、筐体５Ｂを構成する上側筐体６と、表示部７と、アンテナ８と、スピーカ９とを有してなっている。
また、下側ユニット３Ｂは、筐体５Ｂを構成する下側筐体１１Ｂと、下側筐体１１Ｂの裏面側にスライド機構によってスライド可能に取り付けられたホルダカバー１３Ｂと、制御部１４と、記憶部１５と、操作部１６Ｂと、無線通信部１７と、マイクロフォン１８とを有してなっている。
【００４１】
下側筐体１１Ｂの両側の側面部には、図１４及び図１５に示すように、案内溝２１，２１が形成されている。この案内溝２１は、上部溝２１ａと、下部溝２１ｂとからなり、中央部に段差部２１ｃが形成されている。
下側筐体１１Ｂの裏面の中央部には、係止爪４１が設けられ、表面の両端部には、操作者が指をかけて押し上げたり引き寄せたりするための指かけ部４２，４２が形成されている。
ホルダカバー１３Ｂは、下側筐体１１Ｂの裏面及び側面（上部を除く）を覆う浅底の箱状部材からなり、ホルダカバー１３Ｂの下側筐体１１Ｂの裏面に対向する側の面の中央部には、ラックギア４３が帯状に形成されている。
ホルダカバー１３Ｂの側面部には、案内突起２３が形成され、案内突起２３の先端部には、抜止用突起２３ａが形成されている。
【００４２】
この例のスライド機構は、ホルダカバー１３Ｂの下側筐体１１Ｂの裏面に対向する側に形成され、係止爪４１に係止されるラックギア４３と、指かけ部４２，４２とを有してなっている。
この例では、下側筐体１１Ｂが所定以上の力でホルダカバー１３Ｂに対してスライド方向に沿って変位させようとされることによって、係止爪４１によるラックギア４３に対する係止が解除されるようにされている。所定以下の力（例えばキーボタンの押下時にスライド方向に沿って加わる力）では、係止爪４１によってラックギア４３が係止されて固定される。
【００４３】
操作部１６Ｂは、ブラウザモード選択キー１６ｂ、決定キー１６ｃ、メニューキー１６ｄ、入力モード切替えキー１６ｅ、電話帳キー１６ｆ、通話開始キー１６ｇ、クリアキー１６ｈ、電源キー１６ｉを含む機能キー群１６ｊと、カーソルキー１６ｋと、テンキー群１６ｍとを有している。
テンキーを操作する場合は、ホルダカバー１３Ｂを一方の親指以外の４本の指で支えた状態で、指かけ部４２，４２に指をかけて、所定以上の力で、上方へ向けて押したり、下方へ向けて引き寄せる。これによって、操作対象のキーを親指付近に移動させる。
【００４４】
この例の構成によれば、上述した第１実施例と略同様の効果を得ることができる。
加えて、モータ等を廃したので、簡素な構成とし、軽量化及び低コスト化に寄与することができる。
【００４５】
◇第４実施例
図１６は、この発明の第４実施例である携帯電話機の構成を示す図であって、、同携帯電話機のホルダカバーが下側筐体に装着されている状態を示す正面図、また、図１７は、同携帯電話機の動作を説明するための説明図である。
この例が上述した第２実施例と大きく異なるところは、マイクロフォンをホルダカバーに設けた点である。
これ以外の構成は、上述した第２実施例の構成と略同一であるので、その説明を簡略にする。
【００４６】
この例の携帯電話機は、図１６及び図１７に示すように、上側ユニット２と下側ユニット３Ｃとが折り畳み可能なヒンジ部４で相互に結合されて構成されている。
上側ユニット２は、筐体５Ｃを構成する上側筐体６と、表示部７と、アンテナ８と、スピーカ９とを有してなっている。
また、下側ユニット３Ｃは、筐体５Ｃを構成する下側筐体１１Ｃと、下側筐体１１Ｃの裏面側にスライド機構によってスライド可能に取り付けられたホルダカバー１３Ｃと、下側筐体１１Ｃにそれぞれ実装された制御部１４と、記憶部１５と、操作部１６と、無線通信部１７と、ホルダカバー１３Ｃに実装されたマイクロフォン１８Ｃとを有してなっている。
【００４７】
この例では、マイクロフォン１８Ｃは、例えばＦＰＣ４１を介して制御部１４側へ音声信号を供給するように構成されている。
また、スライド操作キー３５ａが押下されることによって、ホルダカバー１３Ｃに対して上側筐体６及び下側筐体１１Ｃが上方に移動し、押下が解除されることによって停止し、また、スライド操作キー３５ｂが押下されることによって、ホルダカバー１３Ｃに対して上側筐体６及び下側筐体１１Ｃが下方に移動し、押下が解除されることによって停止するようになされている。
【００４８】
次に、図１６及び図１７を参照して、この例の携帯電話機１Ｃの動作について説明する。
例えば通話の際に、携帯電話機１Ｃのスピーカ９付近を耳に当てた状態で、マイクロフォン１８Ｃの位置が口唇位置からずれていた場合には、ホルダカバー１３Ｃを把持した状態で、スライド操作キー３５ａ，３５ｂを押下して、マイクロフォン１８Ｃの位置の調節を行う。
例えば、図１６に示すように、ホルダカバー１３Ｃに下側筐体１１Ｃが収納された状態で、操作者によって、スライド操作キー３５ａが押下されると、ホルダカバー１３Ｃに対して、下側筐体１１Ｃと上側筐体６とが上方へ移動し、図１７に示すように、所望量移動する。
また、通話が完了して元の位置に戻したい場合は、操作者は、スライド操作キー３６ｂを押下する。これによって、ホルダカバー１３Ｃに対して、下側筐体１１Ｃと上側筐体６とが下方へ移動して、図１６に示すような元の状態に戻る。
【００４９】
この例の構成によれば、上述した第２実施例と略同様の効果を得ることができる。
加えて、マイクロフォン１８Ｃをホルダカバー１３Ｃ側に設けて、操作者の個人差に応じて、スピーカ９に対する相対的位置を調節可能なように構成されているので、マイクロフォン１８Ｃの集音性を向上させ、円滑かつ快適に通話を行うことができる。
【００５０】
◇第５実施例
図１８は、この発明の第５実施例である携帯電話機の構成を示す図であって、同図（ａ）は、同携帯電話機のホルダカバーが同下側筐体に装着されている状態を示す正面図、同図（ｂ）は、同図（ａ）のＥ−Ｅ線に沿った断面図、図１９及び図２０は、同携帯電話機の下側筐体を背面側から見た斜視図、図２１は、同携帯電話機の構成を示すブロック図、また、図２２は、同携帯電話機の動作を説明するための説明図であって、同図（ａ）は、同ホルダカバーが同下側筐体に装着されている状態を示す正面図、同図（ｂ）は、同図（ａ）のＦ−Ｆ線に沿った断面図である。
この例が上述した第１実施例と大きく異なるところは、撮影機能を付加し、下側筐体の裏面側に撮影窓を設けた点である。
これ以外の構成は、上述した第１実施例の構成と略同一であるので、その説明を簡略にする。
【００５１】
この例の携帯電話機は、図１８乃至図２１に示すように、上側ユニット２と下側ユニット３Ｄとが折り畳み可能なヒンジ部４で相互に結合されて構成されている。
上側ユニット２は、筐体５Ｄを構成する上側筐体６と、表示部７と、アンテナ８と、スピーカ９とを有してなっている。
また、下側ユニット３Ｄは、筐体５Ｄを構成する下側筐体１１Ｄと、下側筐体１１Ｄの裏面側にスライド機構によってスライド可能に取り付けられたホルダカバー１３Ｄと、下側筐体１１Ｄにそれぞれ実装された制御部１４Ｄと、記憶部１５Ｄと、電子カメラユニット（内蔵カメラ）５１と、操作部１６と、無線通信部１７と、マイクロフォン１８とを有してなっている。
【００５２】
電子カメラユニット５１は、図１８及び図２１に示すように、下側筐体１１Ｄの折畳時に外側となる面のヒンジ４側に設けられ、被写体から到来した光が入射する撮影窓部５２と、撮影窓部５２の近傍に配置された例えば標準レンズからなるカメラレンズ５３と、カメラレンズ５３を介して結像した画像を光電変換して電気信号としての画像信号を出力するＣＣＤ撮像素子等からなる撮像デバイス５４と、撮像デバイス５４から送られてきた画像信号をＡ／Ｄ変換するＡ／Ｄ変換部５５と、Ａ／Ｄ変換部５５によってデジタル化されたた信号にガンマ変換、色空間変換等の画像処理を施す画像処理部５６とを有している。
また、撮影窓部５２は、下側筐体１１Ｄの折畳時に外側となる面側のカメラレンズ５３の配置位置に対応した箇所に形成された断面円形の撮影用開口５２ａに、円板状の光透過性のカメラスクリーン５２ｂが配置されてなっている。
【００５３】
次に、図１８乃至図２０及び図２２を参照してこの例の携帯電話機１Ｄの動作について説明する。
例えば非撮影時には、図１８及び図１９に示すように、ホルダカバー１３Ｄが下側筐体１１Ｄの裏面及び側面全体を覆って下側筐体１１Ｄの裏面側に納められた縮退状態とする。このとき、カメラスクリーン５２ｂは、ホルダカバー１３Ｄによって覆われ、カメラスクリーン５２ｂ及びカメラレンズ５３は、視認されない。また、カメラスクリーン５２は、ホルダカバー１３Ｄによって保護される。
撮影時には、例えば、図１８（ｂ）及び図１９に示すように、ホルダカバー１３Ｄに下側筐体１１Ｄが収納された状態で、操作者によって、スライド操作キー１６ａが押下されると、ホルダカバー１３Ｄに対して、ラックギア２２が形成された下側筐体１１Ｄと、上側筐体６とが上方へ移動し、図２０及び図２２（ｂ）に示すように、所望量移動して、カメラスクリーン５２ｂが露出して、モータ２４が停止する。
【００５４】
カメラスクリーン５２ｂが露出した状態で、操作者は、被写体に向けて、当該携帯電話機を構え、表示部７に映し出された被写体の映像を見て、被写体との間の距離等を調整し、かつ、好みの大きさや撮影範囲で映し出されるように、当該携帯電話機の姿勢等を修正し構図を決定する。構図を決定し撮影範囲等を確認したならば、操作者は、撮像キー（不図示）を押下する。
この操作によって、撮影画像が取り込まれ、制御部１４Ｄは、撮影によって得られた画像データを画像処理部５６から受け取ると、記憶部１５Ｄに格納し、この画像データに基づいて所定の表示信号を表示部７に与えて画像を表示させる。
【００５５】
この後、操作者が例えば友人宛てに電子メールに撮影した印刷物の画像を添付して送信したいと考えて、操作部１６の所定のキーを押下してメールモードとし、送信操作を行った場合は、これによって、制御部１４Ｄは、撮影によって得られた画像データを、無線通信部１７を介して操作者が指定した他の携帯電話機等へ送信する。
また、撮影が完了したならば、スライド操作キー１６ａを再び押下する。これによって、ホルダカバー１３Ｄに対して、ラックギア２２が形成された下側筐体１１Ｄと、上側筐体６とが下方へ移動して、図１８及び図１９に示すような元の状態に戻り、カメラスクリーン５２ｂは、ホルダカバー１３Ｄによって覆われる。
【００５６】
この例の構成によれば、上述した第１実施例と略同様の効果を得ることができる。
加えて、非撮影時には、ホルダカバー１３Ｄによって、カメラスクリーン５２ｂを覆って視認させず、撮影時のみスライド操作キー１６ａを操作してカメラスクリーン５２ｂ及びカメラレンズ５３を露出するようにできるので、例えば、撮影時以外に、周囲に大勢の人がいるような場所で、電子メールの送受信を行うような場合でも、不用意にカメラレンズを向けられることによる不安感や不快感を周囲の人に与えることを防止することができる。
また、非撮影時には、ホルダカバー１３Ｄによって、カメラスクリーン５２ｂを覆って、カメラスクリーン５２ｂを保護し、例えば傷がつくことを防ぐことができる。
【００５７】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、携帯型電子機器として携帯電話機に適用する場合について述べたが、携帯電話機に限らず、例えば、簡易型携帯電話（ＰＨＳ）端末や、携帯情報端末（ＰＤＡ）等の携帯型電子機器に適用することができる。また、携帯電話機の場合は、折畳可能な携帯電話機でなくても良い。
また、筐体の長さ方向に限らず、幅方向に沿ってスライド可能なように構成しても良い。また、回転ギアとラックギアとは、下側筐体やホルダカバーの側面に設けるようにしても良い。
【００５８】
また、制御部１４が、モータ２４（３３）を停止させたときに、動力伝達手段を構成する例えば回転ギア２６（３２）を制止させる制止手段としてのラッチ部材を付加して、操作時の位置ずれを確実に防止するようにしても良い。
また、例えば、第１実施例では、ホルダカバー１３が上記縮退状態のときに、スライド操作キー１６ａが押下されると、上記伸張状態までホルダカバー１３に対して上側筐体６及び下側筐体１１が移動するように構成したが、予め、操作者が例えば自分の手の大きさや指の長さ等に応じて伸張具合を設定して、記憶部１５に記憶させておくように構成しても良い。これによって、操作者に応じて個別に調整しておいて、スライド操作キー１６ａを一度押下するのみで、最適なスライド量ずらして操作性を向上させることができる。
【００５９】
また、第２実施例で述べたスライド操作キー３５ａ，３５ｂの操作方法に加えて、制御部にスライドキー操作時のスライド量を予め設定するための設定手段としての機能を持たせ、例えば、スライド操作キー３５ｂと、テンキー群のなかの１つのキーとを連続して押下することによって、予め記憶部１５に記憶させた停止位置までスライドさせるように構成しても良い。ここで、例えばテンキー群のなかの各キーに対応させて、複数の停止位置を操作者の好みに合わせて設定して記憶部１５に記憶させておくように構成しても良い。
また、第４実施例では、ホルダカバーにマイクロフォンを配置する場合について述べたが、上側筐体にホルダカバーを取り付けて、ホルダカバー上部にスピーカを配置するようにしても良い。
【００６０】
【発明の効果】
以上説明したように、この発明の構成によれば、スライド方向に沿って保持体に対して筐体本体をスライドさせることによって、例えば、保持体を一方の手で把持した状態で、操作作対象のキーを、操作する指（例えば親指）付近に移動させることができる。
したがって、操作時に携帯型電子機器を持ち直したり、例えば親指を無理に曲げたりする必要がないため、楽にキーを押下することができるので、操作性を向上させることができる。
また、所望量スライドさせた後、仮固定手段によって、保持体に対して筐体本体が固定されるので、キーを押下したときに、容易に滑ってずれる虞がないので、円滑かつ確実に操作を行わうことができ、一段と操作性を一段と向上させることができる。
【００６１】
また、送話部を例えばホルダカバー側に設け、受話部を例えば筐体本体側に設けることによって、操作者の個人差に応じて、送話部の受話部に対する相対的位置を調節可能とし、送話部の集音性を向上させ、円滑かつ快適に通話を行うことができる。
また、携帯型電子機器に撮影機能を持たせ、筐体本体を保持体に対してスライドさせて、筐体本体に形成された撮影用開口を、例えば、非撮影時には隠し、撮影時に露出するように構成することによって、不用意にカメラレンズを向けられることによる不安感や不快感を周囲の人に与えることを防止することができる。また、非撮影時には、保持体によって撮影用開口を覆って、例えばカメラスクリーンを保護することができる。
【図面の簡単な説明】
【図１】この発明の第１実施例である携帯電話機の構成を示す正面図である。
【図２】同携帯電話機の構成を分解して示す分解斜視図である。
【図３】同携帯電話機の下側筐体を背面側から見た斜視図である。
【図４】同携帯電話機の構成を示す図であって、同図（ａ）は、同携帯電話機のホルダカバーが同下側筐体に装着されている状態を示す正面図、同図（ｂ）は、同図（ａ）のＡ−Ａ線に沿った断面図である。
【図５】同携帯電話機の構成を示すブロック図である。
【図６】同携帯電話機の動作を説明するための説明図であって、同図（ａ）は、同ホルダカバーが同下側筐体に装着されている状態を示す正面図、同図（ｂ）は、同図（ａ）のＢ−Ｂ線に沿った断面図である。
【図７】この発明の第２実施例である携帯電話機の構成を分解して示す分解斜視図である。
【図８】同携帯電話機の下側筐体を背面側から見た斜視図である。
【図９】同携帯電話機のホルダカバーを背面側から見た斜視図である。
【図１０】同携帯電話機の構成を示す図であって、同図（ａ）は、同ホルダカバーが同下側筐体に装着されている状態を示す正面図、同図（ｂ）は、同ホルダカバーが同下側筐体に装着されている状態を示す側面図である。
【図１１】図１０（ａ）のＣ−Ｃ線に沿った断面図である。
【図１２】同携帯電話機の動作を説明するための説明図であって、同図（ａ）は、同ホルダカバーが同下側筐体に装着されている状態を示す正面図、同図（ｂ）は、同ホルダカバーが同下側筐体に装着されている状態を示す側面図である。
【図１３】図１２（ａ）のＤ−Ｄ線に沿った断面図である。
【図１４】この発明の第３実施例である携帯電話機の構成を分解して示す分解斜視図である。
【図１５】同携帯電話機の下側筐体を背面側から見た斜視図である。
【図１６】この発明の第４実施例である携帯電話機の構成を示す図であって、、同携帯電話機のホルダカバーが下側筐体に装着されている状態を示す正面図である。
【図１７】同携帯電話機の動作を説明するための説明図である。
【図１８】この発明の第５実施例である携帯電話機の構成を示す図であって、同図（ａ）は、同携帯電話機のホルダカバーが同下側筐体に装着されている状態を示す正面図である。
【図１９】同携帯電話機の下側筐体を背面側から見た斜視図である。
【図２０】同携帯電話機の下側筐体を背面側から見た斜視図である。
【図２１】同携帯電話機の構成を示すブロック図である。
【図２２】同携帯電話機の動作を説明するための説明図であって、同図（ａ）は、同ホルダカバーが同下側筐体に装着されている状態を示す正面図、同図（ｂ）は、同図（ａ）のＦ−Ｆ線に沿った断面図である。
【図２３】従来技術を説明するための説明図である。
【符号の説明】
１，１Ａ，１Ｂ      携帯電話機（携帯型電子機器）
２      上側ユニット
３，３Ａ，３Ｂ，３Ｃ      下側ユニット
４      ヒンジ部
５，５Ａ，５Ｂ，５Ｃ      筐体
６      上側筐体（筐体本体の一部、第２の筐体）
９      スピーカ（受話部）
１１，１１Ａ，１１Ｂ，１１Ｃ，１１Ｄ      下側筐体（筐体本体の一部、第１の筐体）
１２，１２Ａ      スライド機構
１３，１３Ａ，１３Ｂ，１３Ｃ，１３Ｄ      ホルダカバー（保持体）
１４      制御部
１６      操作部（機器操作手段）
１６ａ      スライド操作キー（モータ操作手段）
１８，１８Ｃ      マイクロフォン（送話部）
２１      案内溝（案内手段の一部）２１
２２．３１      ラックギア（動力伝達手段の一部、仮固定手段の一部）
２３      案内突起（案内手段の一部）
２４，３３    モータ（駆動手段の一部）
２５，３４      モータギア（動力伝達手段の一部、仮固定手段の一部）
２６，３２      回転ギア（動力伝達手段の一部、仮固定手段の一部）
３５ａ，３５ｂ      スライド操作キー（モータ操作手段）
５１      電子カメラユニット（内蔵カメラ）
５２ａ        撮影用開口
【図１】
2004320665.tif 000003
【図２】
2004320665.tif 000004
【図３】
2004320665.tif 000005
【図４】
2004320665.tif 000006
【図５】
2004320665.tif 000007
【図６】
2004320665.tif 000008
【図７】
2004320665.tif 000009
【図８】
2004320665.tif 000010
【図９】
2004320665.tif 000011
【図１０】
2004320665.tif 000012
【図１１】
2004320665.tif 000013
【図１２】
2004320665.tif 000014
【図１３】
2004320665.tif 000015
【図１４】
2004320665.tif 000016
【図１５】
2004320665.tif 000017
【図１６】
2004320665.tif 000018
【図１７】
2004320665.tif 000019
【図１８】
2004320665.tif 000020
【図１９】
2004320665.tif 000021
【図２０】
2004320665.tif 000022
【図２１】
2004320665.tif 000023
【図２２】
2004320665.tif 000024
【図２３】
2004320665.tif 000025